(57)【要約】【課題】  遊技台の上方の前面側に設置され、遊技台配列方向に沿って構成した紙幣搬送部と、該紙幣搬送部に近設し、前面カバーに開口した紙幣投入口から投入した紙幣を識別する紙幣識別部とから成る紙幣搬送ユニットにおいて、発生していた特有の紙幣詰まりや識別不良等を改善した紙幣搬送ユニットの紙幣投入口を提供する。【解決手段】  紙幣搬送ユニットの紙幣投入口であって、紙幣識別部の前面に、装着自在の前面カバーが設けられ、該前面カバーは開口した紙幣投入口を有し、且つ紙幣投入口の上下の位置に対向する略コの字状のガイド部を紙幣の先端が保持できる程度に突出して設け、前記ガイド部が前記前面カバーに一体成形されている、構成とした。【選択図】      図２
2006079300.tif 000002
【特許請求の範囲】
【請求項１】
遊技島の横方向に配列された遊技台の上方の前面側に設置され、遊技台配列方向に沿って紙幣を長手姿勢にて搬送する搬送経路を備えた紙幣搬送部と、前記紙幣搬送部に近設し、前面カバーに開口した紙幣投入口から投入した紙幣を識別する紙幣識別部とを備えた紙幣搬送ユニットの紙幣投入口であって、
前記紙幣識別部に、装着自在の前面カバーが設けられ、
前記前面カバーは、開口した紙幣投入口を有し、且つ紙幣投入口の上下の位置に対向する略コの字状のガイド部を紙幣の先端が保持できる程度に突出して設け、
前記ガイド部が前記前面カバーに一体成形されている、構成としたことを特徴とする紙幣搬送ユニットの紙幣投入口。
【発明の詳細な説明】
【技術分野】
【０００１】
本発明は、例えば複数の遊技台が設置された遊技島において、遊技台の上方の前面側に設置され、該遊技台配列方向に沿って紙幣を長手姿勢にて搬送する搬送経路を備えた紙幣搬送部と、紙幣搬送部に近設し、前面カバーに開口した紙幣投入口から投入した紙幣を識別する紙幣識別部とを備えた紙幣搬送ユニットの紙幣投入口に関する。
【背景技術】
【０００２】
遊技店のスロット島１は、複数の遊技台３（例えば、スロットマシン）と、貨幣を投入して遊技媒体を貸出す遊技媒体貸出機５（例えば、メダル貸出機）とを横方向に直線状に配置した構成で構築されている。スロット島１に配設された各メダル貸出機５にてメダルが貸出される。また、スロット島１の各スロットマシン３の上方には玉箱等を置いておく玉箱収納部７ａが設けられている（図８参照）。
【０００３】
昨今、複数の遊技台３が設置されたスロット島１において、遊技台３の上方の前面の位置に、該遊技台配列方向に沿って紙幣を長手姿勢にて搬送する搬送経路２７を備えた紙幣搬送部２１と、紙幣搬送部２１に近設し、前面カバー４５に開口した紙幣投入口４５ａから投入した紙幣を識別する紙幣識別部１１とを備えた紙幣搬送ユニット１０が提供されている。また、前記紙幣識別部１１には装着自在の前面カバー４５が設けられている（図９参照）。
前記各紙幣搬送ユニット１０を、遊技台３の設置台数に応じて複数台連結（ランプ板１ａ付近に外付け設置）していくと、図８のようなスロット島１が構築される。なお、両面にスロットマシンが配設された両面島用のスロット島においては、両面の位置に該遊技台配列方向に沿って搬送する紙幣搬送ユニット１０を備える必要がある。
各紙幣搬送ユニット１０（蓋部）の前面には、大当たり、トラブル表示又は店員を呼び出す呼び出しランプ７ａが取付けられる。
【０００４】
このように、スロット島１に紙幣搬送ユニット１０が設置され、遊技者が遊技する際は紙幣投入口４５ａに紙幣を投入すると内部の紙幣識別部１１にて真偽、金種が識別され、投入した紙幣に相当する貸出機本体５ａから受皿５ｂ内に貸出される。また、投入された紙幣は、各紙幣搬送ユニット１０の紙幣搬送部２１にて搬送され、島端の紙幣回収装置９内に積層整列される。ここで説明した紙幣搬送ユニット１０の紙幣識別部１１は、流通紙幣として使用されている千円、二千円、五千円、一万円の４金種のみ紙幣が判別される。
【０００５】
図９に基づいて紙幣搬送ユニットの構成を説明する。
上述したように、紙幣搬送ユニット１０は遊技台配列方向に沿って紙幣を長手姿勢にて搬送する搬送経路２７を備えた紙幣搬送部２１と、紙幣搬送部２１に近設し、前面カバー４５に開口した紙幣投入口４５ａから投入した紙幣を識別する紙幣識別部１１とから構成されている。
上記紙幣搬送ユニット１０は、遊技台３の上方の前面側に設置され、遊技台配列方向に沿って紙幣搬送部２１を構成することから、紙幣搬送部本体を薄型に形成しなくてはならない。また、近設している紙幣識別部１１も突出しないようにできるだけ奥行きの短い大きさに形成して、前面カバー４５内に収容する必要がある。
尚、上記した構成の紙幣搬送ユニットは、例えば、本出願人が提案し、下記の特許文献１にて開示されている。
【０００６】
【特許文献１】特開２００４−８１６２４号公報
【発明の開示】
【発明が解決しようとする課題】
【０００７】
しかしながら、上記した紙幣搬送ユニットにおいては、下記する種々の課題を有しており、遊技店又は遊技者からの要望が寄せられている。
図８のように、紙幣投入口の位置が紙幣搬送部（呼び出しランプ）に近設しているため高く、紙幣が投入し難い。例えば、背が低い女性等は手を伸ばして挿入するため紙幣の先端が斜め姿勢にて紙幣識別部内に引き込まれるため紙幣詰まりが生じる。この紙幣詰まりは、上記した紙幣搬送ユニットでの特有の課題であり、紙幣識別部の奥行きを短く形成して前面カバー内に収容するようにしたため生じてしまう。そこで、紙幣識別部にて紙幣詰まりが生じないように奥行きを長くすれば解消するものの、紙幣識別部の奥行きを長くすると突出してしまい遠方から呼び出しランプが見え難くなってしまう為、奥行きを長くすることができない。
また、図９に示すように前面カバーの紙幣投入口においては、窪んだ略ハの字状に形成されているため、紙幣投入時、紙幣が振れてしまい水平姿勢に規制されないまま紙幣識別部内に引き込まれていくため、頻繁に紙幣の識別不良が発生していた。特に、今後予定している新紙幣においては、紙幣を水平姿勢で投入しないと識別不良になってしまうことから、識別精度をあげるためには、水平姿勢で投入できるようにしなければならない。
さらに、スロット島においては、遊技島全体を暗くしているため、前面カバーの紙幣投入口の位置が判り難かった。
【０００８】
本発明は、以上の点に鑑みなされたもので、遊技台の上方の前面側に設置され、遊技台配列方向に沿って構成した紙幣搬送部と、該紙幣搬送部に近設し、前面カバーに開口した紙幣投入口から投入した紙幣を識別する紙幣識別部とから成る紙幣搬送ユニットの紙幣投入口において、発生していた特有の紙幣詰まりや識別不良等を改善した紙幣搬送ユニットの紙幣投入口を提供することを目的とする。
【課題を解決するための手段】
【０００９】
上記目的は、遊技島の横方向に配列された遊技台の上方の前面側に設置され、遊技台配列方向に沿って紙幣を長手姿勢にて搬送する搬送経路を備えた紙幣搬送部と、前記紙幣搬送部に近設し、前面カバーに開口した紙幣投入口から投入した紙幣を識別する紙幣識別部とを備えた紙幣搬送ユニットの紙幣投入口であって、
前記紙幣識別部に、装着自在の前面カバーが設けられ、
前記前面カバーは、開口した紙幣投入口を有し、且つ紙幣投入口の上下の位置に対向する略コの字状のガイド部を紙幣の先端が保持できる程度に突出して設け、
前記ガイド部が前記前面カバーに一体成形されている、ことによって達成される。
【発明の効果】
【００１０】
本発明の構成によれば、遊技台の上方の前面側に設置され、遊技台配列方向に沿って構成した紙幣搬送部と、該紙幣搬送部に近設し、前面カバーに開口した紙幣投入口から投入した紙幣を識別する紙幣識別部とから成る紙幣搬送ユニットの紙幣投入口の特に、紙幣識別部にて発生していた特有の紙幣詰まりや識別不良等を無くすことができるため、遊技店又は遊技者からの要望に応じられるように成った。
また、今までの紙幣搬送部と紙幣識別部とから成る紙幣搬送ユニットの構成を、そのまま活かし、前面カバーだけの簡易な変更により、新紙幣に対する識別精度をあげることができるように成った。
【発明を実施するための最良の形態】
【００１１】
以下、図面に示した実施形態を詳細に説明する。
図１は本発明の紙幣搬送ユニットを示す外観斜視図であり、図２は本発明の紙幣搬送ユニットを示し、前面カバーを外した状態の外観斜視図である。
図３及び図４は紙幣搬送ユニットの側面図であり、図３は前面カバーが装着されている状態を示し、図４は前面カバーを外した状態を示している。
【実施例１】
【００１２】
始めに、遊技店のスロット島について簡易に説明する。尚、従来で説明した図及び同じ符号を用いて説明する。
尚、スロット島に限定されるものでない。
遊技店のスロット島１は、複数台のスロットマシン３と、隣接した位置にメダル貸出機５が配設され、横方向に直線状に配置した構成で構築されている。スロット島１に配設された各メダル貸出機５にてメダルが貸出される。また、スロット島１の各スロットマシン３の上方には玉箱等を置いておく玉箱収納部７ｂが設けられている。ここでは、スロットマシンとメダル貸出機の構成は、周知なので説明は省略する。
【００１３】
複数の遊技台３が設置されたスロット島１には、遊技台の上方の前面の位置に、該遊技台配列方向に沿って紙幣を長手姿勢にて搬送する搬送経路２７を備えた紙幣搬送部２１と、紙幣搬送部２１に近設し、前面カバー１５に開口した紙幣投入口１５ａから投入した紙幣を識別する紙幣識別部１１とを備えた紙幣搬送ユニット１０が備えられ、紙幣投入口１５ａに投入された紙幣は、各紙幣搬送ユニット１０・・の紙幣搬送部内２１を搬送していき、島端の紙幣回収装置９内にて整列積層される。そして、前記各紙幣搬送ユニット１０・・を、遊技台３の設置台数に応じて複数台連結（ランプ板１ａ付近に外付け設置）させてスロット島１を構築することができる。このように各紙幣搬送ユニット１０・・は、ランプ板１ａ付近に外付け状態で設置することができるため、遊技島を大幅に改築することなく簡易な施工により、短時間のうちに取り付けることができる。
【００１４】
次に、紙幣搬送ユニット１０の構成について詳しく説明する。
図１及び図２に示すように、紙幣搬送ユニット１０は、紙幣を長手姿勢にて搬送する搬送経路２７を備えた紙幣搬送部２１と、紙幣搬送部２１に近設し、前面カバー１５に開口した紙幣投入口１５ａから投入した紙幣を識別する紙幣識別部１１とから大略構成されている。
さらに、前記紙幣識別部１１を覆う、前面カバー１５の紙幣投入口１５ａには、上下の位置に対向する略コの字状のガイド部１５ｂを突出して設け、前記ガイド部１５ｂが前記前面カバー１５に一体成形されている。尚、紙幣搬送ユニット１０（蓋部２３）の前面には、大当たり、トラブル表示又は店員を呼び出す呼び出しランプ７ａが取付けられるが、図を省略している。
【００１５】
先ず、紙幣識別部１１の構成について説明する。
本発明の紙幣識別部１１は、紙幣搬送部本体から突出しないように奥行きが短く形成され、前面カバー１５内に収容されている。
紙幣識別部１１の内部には、投入された紙幣を真正なものなのか識別し、正規の紙幣のみ取り込むよう識別搬送部１１ａが設けられている。該識別搬送部１１ａには、紙幣の表面に描かれた図柄を識別する光学センサ、及び磁気センサ等が配置され、登録された紙幣の図柄による検出パターンと、投入された紙幣のパターンとを比較して紙幣の判定を行う。ここでの紙幣識別部１１の識別搬送部１１ａにおいては、昨今流通紙幣として使用されている千円、二千円、五千円、一万円の４金種の紙幣と、これから予定されている、新紙幣においても識別対応できるような制御基板が配置されている。
また、紙幣識別部１１の前面上端には、後述する前面カバー１５を装着した際、位置決めするガイド穴１１ｃが上下の位置に二箇所穿設されている。
【００１６】
駆動モータ機構を備えた識別搬送部１１ａにて、投入された紙幣を識別判別（真正、金種）し、真正の紙幣と判別すると、内部に取り込み、後述する紙幣搬送部２１内へと送り込まれていく。と同時、メダル貸出機５の制御部に正規出力し、投入した紙幣に相当するメダルをメダル払出し機から受皿５ｂに払出すように指令する。例えば、千円紙幣の場合、５０枚のメダルが払い出される。尚、識別搬送部１１ａにて、投入された紙幣が、偽の紙幣（不正紙幣等）と判別すると、内部には取り込まず、紙幣投入口１５ａに返却する。
また、識別搬送部１１ａの下部には、動作表示部を点灯させる赤色ＬＥＤ１１ｂ、緑色ＬＥＤ１１ｂが設けられている。
【００１７】
次に、第１実施形態の前面カバー１５の構成について説明する。
前面カバー１５は、例えばＡＢＳ材等から成り、紙幣識別部１１を覆うことができるよう同じ大きさの略長方形状に形成され、且つ施錠部１５ｅによって装着自在と成している。
前面カバー１５の紙幣投入口１５ａに隣接して設けた施錠部１５ｅによって装着自在と成し、店員が鍵操作することにより、取付け、取外すことができる。例えば、紙幣識別部１１内にて紙幣詰まりが生じた場合、容易に前面カバー１５を外し、修復作業することができる。
前面カバー１５の内壁の上端には、ピン１５ｇが設けられ、装着時、該ピン１５ｇが紙幣識別部１１に設けた検知部（不図示）に当接することで検出し、貸出しが可能となる。
例えば、紙幣詰まり等が生じて前面カバー１５を外すと、検知部で０ＦＦと判断し、その間は貸出しが中止となる。
【００１８】
前面カバー１５には、幅小のストレート状に開口した紙幣投入口１５ａを有し、且つ紙幣投入口１５ａの上下の位置に対向する略コの字状のガイド部１５ｂを突出して設け、前記ガイド部１５ｂが前記前面カバー１５に一体成形されている。また、紙幣投入口１５ａの下部には、動作状態を表示する動作表示部１５ｄが設けられている。
前面カバー１５の内壁の上下の位置に短いガイドピン１５ｆが設けられている。このガイドピン１５ｆは上述した紙幣識別部１１に設けた上下の位置のガイド穴１１ｃに装着した際、嵌まり込む。
ガイド部１５ｂは、くちばし状に突出するよう形成され、上下間隔は紙幣の幅より僅かに幅広の位置に設けられている。突出するよう形成したガイド部の長さは、２０ミリ以上（例えば２４ミリ）とし、紙幣の先端が保持できる程度の長さとしている。
また、ガイド部１５ｂの内壁は、水平面１５ｃと成し、この水平面１５ｃに沿って確実に紙幣が案内されていく。
この水平面１５ｃにより、紙幣先端が幾分斜め姿勢に投入されても水平姿勢と成って確実に案内されていく（図５参照）。
このように、幅小のストレート状に開口した紙幣投入口１５ａと、上下の位置に対向する略コの字状のガイド部１５ｂを突出して設けた前面カバーに形成したことにより、今まで紙幣識別部１１にて発生していた特有の紙幣詰まりや識別不良等を無くすことができる。
【００１９】
紙幣搬送部２１の構成について説明する。
紙幣搬送部２１は、遊技台３の上方の前面側に設置され、遊技台配列方向に沿って取付けることから、紙幣搬送部本体が薄型に形成されている。
紙幣搬送部の内部構造を図３及び図４に基づいて説明する。
紙幣搬送部２１は、前面側の蓋部２３と、後面側の搬送部２５とから大略構成されている。蓋部２３に呼び出しランプ７ａが取付けられる。図示しないが、前面側の蓋部２３が開閉自在と成すように、後面側の搬送部２５に取り付けられている。
【００２０】
蓋部２３の後には、搬送される紙幣を長手姿勢に維持し、搬送できるよう搬送保持部２３ａが設けられている。該搬送保持部２３ａは、例えばプラスチック材等から形成され、略中央に紙幣を押圧する付勢されたテンションローラ２３ｂが適宜間隔の位置に設けられている。
搬送部２５の前には、搬送する紙幣を長手姿勢に維持し、搬送できるよう搬送駆動部２５ａが設けられている。該搬送駆動部２５ａも、例えばプラスチック材等から形成され、略中央に紙幣を挟持して搬送するための搬送ベルト２５ｂが両端のローラに巻回され、駆動モータにより駆動するように成している。
このように搬送保持部２３ａ側に設けたテンションローラ２３ｂと、搬送駆動部２５ａ側の搬送ベルト２５ｂとによって紙幣を長手姿勢に挟持し、搬送経路２７にて紙幣を搬送させていく。該搬送経路２７は、上レール２７ａと下レール２７ｂとから形成されている。
【００２１】
第２実施形態の前面カバー３５の構成について説明する。
ここでは、上述した第１実施形態の前面カバー１５と同じ構成については省略し、異なる構成のみ説明する。
前面カバーの内部構造を図６及び図７に基づいて説明する。
前面カバー３５は、長方形状に開口した開口部３５ｅが設けられている。前面カバー３５の下部には動作表示部を点灯させる赤色ＬＥＤ３５ｄ、緑色ＬＥＤ３５ｄが基板に設けられている。
この開口部３５ｅに、透明状で前記開口部と略同じ大きさに形成された紙幣投入ガイド部３５ａが装着される。装着するにあたっては、上下に設けた係子爪（不図示）にて装着する。
紙幣投入ガイド部３５ａは、幅小に開口し、紙幣投入口３５ｂ及び、上下の位置に対向する略コの字状で内壁に水平面３５ｃを有したガイドを紙幣の先端が保持できる程度に突出し、透明状の一体成形から形成されている。
【００２２】
よって、紙幣識別部１１の前面を覆う、前面カバー３５の開口部３５ｅに、幅小に開口した紙幣投入口３５ｂ及び、上下の位置に対向する略コの字状のガイドを突出し、一体成形に形成した紙幣投入ガイド部３５ａを装着することができる。
第２実施形態の前面カバー３５は、着色された一体成形にて形成されている。つまり、前面カバー３５内には紙幣識別部１１が設けられていることから、透明にすると内部構造がわかってしまい不正される恐れがあるため着色し、紙幣投入ガイド部３５ａのみ透明にしている。
【００２３】
このように紙幣投入ガイド部３５ａをくちばし状に突出するよう形成し、上下間隔を紙幣の幅より僅かに幅広にし、内壁に水平面３５ｃを有し、この水平面３５ｃに沿って確実に紙幣が案内されていく。
さらに、紙幣投入ガイド部３５ａのみを透明にすることによって、例えば下部に設けた赤色ＬＥＤ、緑色ＬＥＤが発光すると、紙幣投入口３５ｂが着色される。その結果、スロット島においては、遊技島全体が暗くなっていても、前面カバー３５の紙幣投入口３５ｂが発光することによって色彩効果と成り、投入する位置が今まで以上に判り易くなる。
【図面の簡単な説明】
【００２４】
【図１】本発明の紙幣搬送ユニットを示す外観斜視図である。
【図２】本発明の紙幣搬送ユニットを示し、前面カバーを外した状態の外観斜視図である。
【図３】紙幣搬送ユニットの側面図であり、前面カバーが装着されている状態を示す図である。
【図４】紙幣搬送ユニットの側面図であり、前面カバーを取り外した状態を示す図である。
【図５】第１実施形態の前面カバーの紙幣投入口に投入される紙幣の状態を示す断面図である。
【図６】第２実施形態の前面カバーと紙幣投入ガイドとを示す斜視図である。
【図７】同上、断面図である。
【図８】スロット島に紙幣搬送ユニットを複数台設置した状態を示す斜視図である。
【図９】従来の紙幣搬送ユニットと前面カバーを示す外観斜視図である。
【符号の説明】
【００２５】
１      遊技島
３      遊技台
５      遊技媒体貸出機
１０    紙幣搬送ユニット
１１    紙幣識別部
１５    前面カバー（第１実施形態）
１５ａ  紙幣投入口
１５ｂ  ガイド部
２１    紙幣搬送部
３５    前面カバー（第２実施形態）
【図１】
2006079300.tif 000003
【図２】
2006079300.tif 000004
【図３】
2006079300.tif 000005
【図４】
2006079300.tif 000006
【図５】
2006079300.tif 000007
【図６】
2006079300.tif 000008
【図７】
2006079300.tif 000009
【図８】
2006079300.tif 000010
【図９】
2006079300.tif 000011